(57)【要約】  本開示は、ポータブル照明器具１００、２００、３００のワイヤレス制御の方法及び装置に関する。例えばＮＦＣが可能にされた照明器具が、１つ以上のＮＦＣコンポーネントから光設定を得て、１つ以上の光挙動を示すことができる。
2017508263.tif 000002
【特許請求の範囲】
【請求項１】
内部を画成するハウジングを含むポータブル照明器具であって、
前記内部は、
照明制御信号に基づいて、１つ以上のＬＥＤにエネルギーを付与する１つ以上のＬＥＤドライバと、
ワイヤレス送信器からワイヤレス信号を受信するワイヤレス通信インターフェースと、
前記１つ以上のＬＥＤドライバ及び前記ワイヤレス通信インターフェースに動作可能に結合されるコントローラと、
を含み、
前記コントローラは、
前記ワイヤレス信号に基づいて、前記１つ以上のＬＥＤによって放射される光の１つ以上の所望の特性を決定し、
前記光の１つ以上の所望の特性に基づいて、前記照明制御信号を生成する、ポータブル照明器具。
【請求項２】
前記ワイヤレス通信インターフェースは、近距離無線通信リーダ／ライタを含む、請求項１に記載のポータブル照明器具。
【請求項３】
前記ワイヤレス通信インターフェースは、近距離無線通信コントローラを含む、請求項１に記載のポータブル照明器具。
【請求項４】
照明シーンのライブラリを記憶するメモリを更に含み、
前記コントローラは更に、
前記ワイヤレス信号に含まれる情報に基づいて、前記ライブラリから照明シーンを選択し、
選択された前記照明シーンに従って光を放射するように、前記１つ以上のＬＥＤドライバに、前記１つ以上のＬＥＤにエネルギーを付与させる前記照明制御信号を生成する、請求項１に記載のポータブル照明器具。
【請求項５】
前記照明シーンは、時間依存照明シーンである、請求項４に記載のポータブル照明器具。
【請求項６】
所定の時間間隔後に切れるように設定されるタイマを更に含み、前記コントローラは更に、前記タイマの１回目の終了、又は、前記ポータブル照明器具の、前記ワイヤレス送信器から離れる移動まで、前記照明制御信号を生成する、請求項５に記載のポータブル照明器具。
【請求項７】
所定の時間間隔後に切れるように設定されるタイマを更に含み、前記コントローラは更に、前記タイマの終了後に、前記照明制御信号を生成する、請求項５に記載のポータブル照明器具。
【請求項８】
前記コントローラは更に、
前記ワイヤレス信号に含まれる１つ以上の照明制御パラメータ又はコマンドを解釈し、
解釈された前記１つ以上の照明制御パラメータ又はコマンドに基づいて選択される特性を有する光を放射するように、前記１つ以上のＬＥＤドライバに、前記１つ以上のＬＥＤにエネルギーを付与させる前記照明制御信号を生成する、請求項１に記載のポータブル照明器具。
【請求項９】
前記ワイヤレス通信インターフェースは、無線自動識別（ＲＦＩＤ）又はブルートゥース（登録商標）のうち１つ以上を使用して、データを交換する、請求項１に記載のポータブル照明器具。
【請求項１０】
前記コントローラは更に、前記近距離無線通信コントローラを介して、前記ワイヤレス送信器に関連付けられているワイヤレス受信器に、前記ワイヤレス送信器に関連付けられている１つ以上の光源によって放射される光の１つ以上の所望の特性を送信する、請求項３に記載のポータブル照明器具。
【請求項１１】
前記コントローラは更に、前記近距離無線通信コントローラを介して、前記ワイヤレス送信器に関連付けられているワイヤレス受信器に、前記ワイヤレス送信器に関連付けられている１つ以上のスピーカによって放射される１つ以上の所望の音効果を送信する、請求項３に記載のポータブル照明器具。
【請求項１２】
ポータブル照明器具を、ワイヤレス送信器のワイヤレス範囲内に置くステップと、
前記ワイヤレス送信器から、前記ポータブル照明器具によって、１つ以上のＬＥＤによって放射される光の１つ以上の所望の特性を得るステップと、
前記光の１つ以上の所望の特性に基づいて、前記１つ以上のＬＥＤに選択的にエネルギーを付与するステップと、
を含む、照明制御方法。
【請求項１３】
所望の特性を得る前記ステップに応えて、所定の時間間隔のタイマを起動するステップと、
前記所定の時間間隔の終わりにおいて、選択的にエネルギーを付与する前記ステップを開始するステップと、
を更に含む、請求項１２に記載の照明制御方法。
【請求項１４】
選択的にエネルギーを付与する前記ステップが生じる所定の時間間隔のタイマを起動するステップと、
前記所定の時間間隔の終わりにおいて、前記選択的にエネルギーを付与するステップを止めるステップと、
を更に含む、請求項１２に記載の照明制御方法。
【請求項１５】
前記ワイヤレス送信器から得られる情報に基づいて、照明シーンのライブラリから照明シーンを選択するステップと、
選択された前記照明シーンに従って光を放射するように前記１つ以上のＬＥＤに選択的にエネルギーを付与するステップと、
を更に含む、請求項１２に記載の照明制御方法。
【請求項１６】
前記ワイヤレス信号に含まれる１つ以上の照明制御パラメータ又はコマンドを解釈するステップと、
解釈された前記１つ以上の照明制御パラメータ又はコマンドに基づいて選択される特性を有する光を放射するように、前記１つ以上のＬＥＤに選択的にエネルギーを付与するステップと、
を更に含む、請求項１２に記載の照明制御方法。
【請求項１７】
前記ワイヤレス送信器をおもちゃの表面上に含む当該おもちゃ上に、前記ポータブル照明器具を置くステップを更に含む、請求項１２に記載の照明制御方法。
【請求項１８】
前記ポータブル照明器具から、前記おもちゃ上の前記ワイヤレス送信器に関連付けられているワイヤレス受信器に、前記おもちゃに関連付けられている１つ以上の光源によって放射される光の１つ以上の所望の特性を送信するステップを更に含む、請求項１７に記載の照明制御方法。
【請求項１９】
前記ポータブル照明器具から、前記おもちゃ上の前記ワイヤレス送信器に関連付けられているワイヤレス受信器に、前記おもちゃに関連付けられている１つ以上のスピーカによって放射される１つ以上の所望の音効果を送信するステップを更に含む、請求項１７に記載の照明制御方法。
【発明の詳細な説明】
【技術分野】
【０００１】
［0001］  本発明は、概して、照明器具のワイヤレス制御に関する。より具体的には、本明細書に開示される様々な発明方法及び装置は、ワイヤレス送信器とのワイヤレス通信に基づくポータブル照明器具の制御に関する。
【背景技術】
【０００２】
［0002］  デジタル照明技術、即ち、発光ダイオード（ＬＥＤ）といった半導体光源に基づく照明は、従来の蛍光灯、ＨＩＤ灯及び白熱灯に代わる実行可能な代替案を提供する。ＬＥＤの機能上の利点及び便益には、高エネルギー変換及び光学効率、耐久性、低操作コスト及び他の多くの利点及び便益が含まれる。ＬＥＤ技術の最近の進歩によって、多くの用途において様々な照明効果を可能にする効率的でロバストなフルスペクトル照明源が提供されている。これらのＬＥＤベースの照明源を具現化する照明固定具の幾つかは、例えば赤、緑及び青といった様々な色を生成できる１つ以上のＬＥＤと、様々な色及び色変化照明効果を生成するためにＬＥＤの出力を独立制御するプロセッサとを含む照明モジュールを特徴とする。
【０００３】
［0003］  無線自動識別（ＲＦＩＤ）技術、即ち、ワイヤレスで、無接触の無線周波数電磁界に基づくデバイス間の通信が、ＲＦＩＤが可能にされたデバイスを制御するための実行可能なオプションを提供する。例えばＲＦＩＤリーダが照明器具内に含まれ、マイクロコントローラが、ＲＦＩＤリーダを使用して、ＲＦＩＤタグからデータを読み取ることができる。このようなデータは、照明器具のＭＡＣアドレス及びその最大ルーメン出力を含んでよい。同様に、近距離無線通信（「ＮＦＣ」）技術、即ち、互いに近接している場合のデバイス間のワイヤレス通信が、ＮＦＣが可能にされたデバイスを制御するための実行可能なオプションを提供する。例えばＮＦＣが可能にされたおもちゃのロボットを、パッシブＮＦＣタグと近接していることに基づいて、一連の命令を実行するように制御することができる。
【０００４】
［0004］  ＮＦＣは、様々な方法で実施できる。パッシブＮＦＣチップが、アクティブＮＦＣリーダ／ライタ又はＮＦＣコントローラによって読み出され及び書き込まれることが可能である。ＮＦＣリーダ／ライタが、パッシブＮＦＣチップから読み出すことができるか、又は、パッシブＮＦＣチップに書き込むことができる。ＮＦＣコントローラは、例えばピア・ツー・ピア通信パラダイムで他のＮＦＣコントローラとデータを交換することができる。ＮＦＣ技術は、複数の照明効果を提供するために、半導体光源を制御する実行可能なオプションを提供する。このようなＮＦＣは、プロセッサを制御するように使用されてよく、プロセッサは、次に、照明モジュールの出力を制御する。例えば光源が、ＮＦＣコントローラを含む。ＮＦＣが可能にされたスマートホンは、当該スマートホンが照明器具に近接すると、ＮＦＣコントローラに光設定を転送する。ＮＦＣコントローラは、次に、光設定に基づいて、照明シーケンスを実行するように光源を誘導する。別の例として、光設定が、パッシブＮＦＣタグに格納されていてもよく、ＮＦＣが可能にされたスマートホンは、当該スマートホンがＮＦＣタグに近接すると、光設定を読み出してもよい。次に、スマートホンは、例えばＮＦＣ又はＷｉ−Ｆｉ（登録商標）又はブルートゥース（登録商標）といった別の通信技術を使用して、光設定を、光源の出力を制御するプロセッサに送信する。次に、プロセッサは、光設定に基づいて、照明シーケンスを実行するように光源を誘導する。
【発明の概要】
【発明が解決しようとする課題】
【０００５】
［0005］  照明器具は、照明モジュールの出力を独立制御するプロセッサを含んでよい。幾つかの場合では、このようなプロセッサは、所定の光設定で予めプログラムされ、当該所定の光設定に基づいて、照明モジュールの出力を制御する。多くの実用的な応用では、照明器具の物理的な場所に基づいて、また、中間コンピュータデバイスを使用することなく、複数の照明挙動を誘導するように照明器具を制御することが望ましい。したがって、当技術分野において、中間デバイスの助けなく、ワイヤレス通信が可能にされた（例えばＮＦＣが可能にされた）コンポーネントと光源との間で直接１つ以上の光設定を交換する必要がある。
【課題を解決するための手段】
【０００６】
［0006］  本開示は、照明器具のワイヤレス制御の発明方法及び装置に関する。例えばＮＦＣが可能にされたＬＥＤベースの照明器具が、１つ以上のＮＦＣコンポーネントから光設定を取り込んで、１つ以上の光挙動を見せることができる。
【０００７】
［0007］  概して、一態様において、ポータブル照明器具は、内部を画成するハウジングを含んでよい。当該内部は、照明制御信号に基づいて、１つ以上のＬＥＤにエネルギーを付与する１つ以上のＬＥＤドライバと、ワイヤレス送信器からワイヤレス信号を受信するワイヤレス通信インターフェースと、１つ以上のＬＥＤドライバ及びワイヤレス通信インターフェースに動作可能に結合されるコントローラとを含んでよい。コントローラは、ワイヤレス信号に基づいて、１つ以上のＬＥＤによって放射される光の１つ以上の所望の特性を決定し、光の１つ以上の所望の特性に基づいて、照明制御信号を生成してよい。
【０００８】
［0008］  様々な実施形態において、ワイヤレス通信インターフェースは、近距離無線通信リーダ／ライタを含む。様々な実施形態において、ワイヤレス通信インターフェースは、近距離無線通信コントローラを含む。
【０００９】
［0009］  様々な実施形態において、ポータブル照明器具は、照明シーンのライブラリを記憶するメモリを更に含む。コントローラは更に、ワイヤレス信号に含まれる情報に基づいて、ライブラリから照明シーンを選択し、選択された照明シーンに従って光を放射するように、１つ以上のＬＥＤドライバに、１つ以上のＬＥＤにエネルギーを付与させる照明制御信号を生成してよい。様々なバージョンにおいて、照明シーンは、時間依存照明シーンである。様々なバージョンにおいて、ポータブル照明器具は、所定の時間間隔後に切れるように設定されるタイマを更に含む。様々なバージョンにおいて、コントローラは更に、タイマの１回目の終了、又は、ポータブル照明器具のワイヤレス送信器から離れる移動まで、照明制御信号を生成するか、又は、タイマの終了後に、照明制御信号を生成してもよい。
【００１０】
［0010］  様々な実施形態において、コントローラは更に、ワイヤレス信号に含まれる１つ以上の照明制御パラメータ又はコマンドを解釈し、解釈された１つ以上の照明制御パラメータ又はコマンドに基づいて選択される特性を有する光を放射するように、１つ以上のＬＥＤドライバに、１つ以上のＬＥＤにエネルギーを付与させる照明制御信号を生成してよい。
【００１１】
［0011］  ワイヤレス通信インターフェースは、無線自動識別（ＲＦＩＤ）又はブルートゥース（登録商標）のうち１つ以上を使用して、データを交換してよい。
【００１２】
［0012］  様々な実施形態において、コントローラは更に、近距離無線通信コントローラを介して、ワイヤレス送信器に関連付けられているワイヤレス受信器に、ワイヤレス送信器に関連付けられている１つ以上の光源によって放射される光の１つ以上の所望の特性を送信してもよい。様々な実施形態において、ントローラは更に、近距離無線通信コントローラを介して、ワイヤレス送信器に関連付けられているワイヤレス受信器に、ワイヤレス送信器に関連付けられている１つ以上のスピーカによって放射される１つ以上の所望の音効果を送信してもよい。
【００１３】
［0013］  他の実施態様は、上記されたような動作を行うようにプロセッサによって実行可能である命令を記憶する非一時的コンピュータ可読記憶媒体を含んでよい。更に別の実施態様は、上記されたような動作を行う方法を含んでもよい。
【００１４】
［0014］  本開示の目的で本明細書において使用される場合、「ＬＥＤ」との用語は、任意のエレクトロルミネセンスダイオード、又は、電気信号に呼応して放射線を発生できるその他のタイプのキャリア注入／接合ベースシステム（carrier injection/junction-based system）を含むものと理解されるべきである。したがって、ＬＥＤとの用語は、次に限定されないが、電流に呼応して発光する様々な半導体ベースの構造体、発光ポリマー、有機発光ダイオード（ＯＬＥＤ）、エレクトロルミネセンスストリップ等を含む。特にＬＥＤとの用語は、赤外スペクトル、紫外スペクトル、及び（通常、約４００ナノメートルから約７００ナノメートルまでの放射波長を含む）可視スペクトルの様々な部分のうちの１つ以上における放射線を発生させるすべてのタイプの発光ダイオード（半導体及び有機発光ダイオードを含む）を指す。例えば実質的に白色の光を発生させるＬＥＤ（例えば白色ＬＥＤ）の一実施態様は、それぞれ、組み合わされることで混合して本質的に白色の光を形成する様々なスペクトルのエレクトロルミネセンスを放射する複数のダイを含む。別の実施態様では、白色光ＬＥＤは、第１のスペクトルを有するエレクトロルミネセンスを異なる第２のスペクトルに変換する蛍光体材料に関連付けられる。この実施態様の一例では、比較的短波長で狭帯域幅のスペクトルを有するエレクトロルミネセンスが、蛍光体材料を「ポンピング（pumps）」して、当該蛍光体材料は、今度は、やや広いスペクトルを有するより長い波長の放射線を放射する。
【００１５】
［0015］当然ながら、ＬＥＤとの用語は、ＬＥＤの物理的及び／又は電気的なパッケージタイプを限定しない。例えば、上述した通り、ＬＥＤは、（例えば個々に制御可能であっても可能でなくてもよい）異なるスペクトルの放射線をそれぞれ放射する複数のダイを有する単一の発光デバイスを指してもよい。
【００１６】
［0016］  「光源」との用語は、次に限定されないが、ＬＥＤベース光源（上記に定義した１つ以上のＬＥＤを含む）を含む様々な放射源のうちの任意の１つ以上を指すと理解されるべきである。所与の光源は、可視スペクトル内、可視スペクトル外又は両者の組合せでの電磁放射線を発生させる。したがって、「光」及び「放射線」との用語は、本明細書では同義に使用される。更に、光源は、一体構成要素として、１つ以上のフィルタ（例えばカラーフィルタ）、レンズ又はその他の光学的構成要素を含んでもよい。また、当然ながら、光源は、次に限定されないが、指示、表示及び／又は照明を含む様々な用途向けに構成される。「照明源」とは、室内又は室外空間を効果的に照明するのに十分な強度を有する放射線を発生させるように特に構成された光源である。このコンテキストにおいて、「十分な強度」とは、周囲照明（即ち、間接的に知覚され、また、例えば全体的に又は部分的に知覚される前に１つ以上の様々な介在面から反射される光）を提供するために、空間又は環境において生成される可視スペクトルにおける十分な放射強度（放射強度又は「光束」に関して、全方向における光源からの全光出力を表すために、単位「ルーメン」がよく使用される）を指す。
【００１７】
［0017］  「スペクトル」との用語は、１つ以上の光源によって生成される放射線の任意の１つ以上の周波数（又は波長）を指すものと理解されるべきである。したがって、「スペクトル」との用語は、可視範囲内の周波数（又は波長）のみならず、赤外線、紫外線及び電磁スペクトル全体の他の領域の周波数（又は波長）も指す。更に、所与のスペクトルは、比較的狭い帯域幅（例えば基本的に周波数又は波長成分をほとんど有さないＦＷＨＭ）、又は、比較的広い帯域幅（様々な相対強度を有する幾つかの周波数又は波長成分）を有してよい。当然ながら、所与のスペクトルは、２つ以上の他のスペクトルを混合（例えば複数の光源からそれぞれ放射された放射線を混合）した結果であってもよい。
【００１８】
［0018］  本開示の目的で、「色」との用語は、「スペクトル」との用語と同義に使用される。しかし、「色」との用語は、通常、観察者によって知覚可能である放射線の特性を主に指すように使用される（ただし、この使用は、当該用語の範囲を限定することを意図していない）。したがって、「様々な色」との用語は、様々な波長成分及び／又は帯域幅を有する複数のスペクトルを暗に指す。更に、当然ながら、「色」との用語は、白色光及び非白色光の両方との関連で使用されてもよい。
【００１９】
［0019］  「色温度」との用語は、本明細書では、通常、白色光に関連して使用されるが、この使用は、当該用語の範囲を限定することを意図していない。色温度は、基本的に、白色光の特定の色内容又は陰影（例えば赤みを帯びた、青みを帯びた）を指す。所与の放射線サンプルの色温度は、従来から、問題とされている放射線サンプルと実質的に同じスペクトルを放射する黒体放射体のケルビン度数（Ｋ）での温度に応じて特徴付けられている。黒体放射体の色温度は、通常、約７００度Ｋ（通常、人間の目に最初に可視となると考えられている）から１０，０００度Ｋ超の範囲にあり、白色光は、通常、約１５００〜２０００度Ｋより高い色温度において知覚される。
【００２０】
［0020］  「照明固定具」と「照明器具」との用語は、本明細書では、特定の形状因子、アセンブリ又はパッケージの１つ以上の照明ユニットの一実施態様又は配置を指すとして同義に使用される。照明固定具／照明器具は、携帯可能であっても、固定して取り付けられていてもよく、また、１つ以上の光源を電源に接続する配線だけでなく、リフレクタ、レンズ、コリメータ等といった光を方向付け、分配するのに役立つ光学要素も含む。照明器具は更に、リーダ／ライタ及びコントローラの１つ以上を含んでいてもよい。
【００２１】
［0021］  「照明ユニット」との用語は、本明細書では、同じ又は異なるタイプの１つ以上の光源を含む装置を指すように使用される。所与の照明ユニットは、様々な光源の取付け配置、筐体／ハウジング配置及び形状、並びに／又は、電気及び機械的接続構成の何れか１つを有していてよい。更に、所与の照明ユニットは、光源の動作に関連する様々な他の構成要素（例えば制御回路）に任意選択的に関連付けられてもよい（例えば含む、結合される及び／又は一緒にパッケージされる）。「ＬＥＤベースの照明ユニット」とは、上記した１つ以上のＬＥＤベースの光源を、単独で又はその他の非ＬＥＤベースの光源との組合せで含む照明ユニットを指す。「マルチチャネル」照明ユニットとは、それぞれ異なるスペクトルの放射線を発生させる少なくとも２つの光源を含むＬＥＤベースの又は非ＬＥＤベースの照明ユニットを指すものであり、各異なる光源スペクトルは、マルチチャネル照明ユニットの「チャネル」と呼ばれてもよい。
【００２２】
［0022］  「コントローラ」との用語は、本明細書では、概して、１つ以上の光源の動作に関連する様々な装置を説明するように使用される。コントローラは、本明細書で説明した様々な機能を実行するように、数多くの方法（例えば専用ハードウエアを用いて）で実施できる。「プロセッサ」は、本明細書で説明した様々な機能を実行するように、ソフトウエア（例えばマイクロコード）を使用してプログラムすることのできる１つ以上のマイクロプロセッサを使用するコントローラの一例である。コントローラは、プロセッサを使用してもしなくても実施でき、また、幾つかの機能を実行する専用ハードウエアと、その他の機能を実行するプロセッサ（例えばプログラムされた１つ以上のマイクロプロセッサ及び関連回路）の組み合わせとして実施されてもよい。本開示の様々な実施態様において使用されるコントローラ構成要素の例としては、次に限定されないが、従来のマイクロプロセッサ、特定用途向け集積回路（ＡＳＩＣ）、及びフィールドプログラマブルゲートアレイ（ＦＰＧＡ）が挙げられる。
【００２３】
［0023］  様々な実施態様において、プロセッサ又はコントローラは、１つ以上の記憶媒体（本明細書では総称的に「メモリ」と呼び、例えばＲＡＭ、ＰＲＯＭ、ＥＰＲＯＭ及びＥＥＰＲＯＭ、フロッピー（登録商標）ディスク、コンパクトディスク、光学ディスク、磁気テープ等の揮発性及び不揮発性のコンピュータメモリ）と関連付けられてよい。幾つかの実施態様において、記憶媒体は、１つ以上のプロセッサ及び／又はコントローラ上で実行されると、本明細書で説明した機能の少なくとも幾つかを実行する１つ以上のプログラムによってコード化されてもよい。様々な記憶媒体は、プロセッサ又はコントローラ内に固定されてもよいし、又は、その上に記憶された１つ以上のプログラムが、本明細書で説明した本発明の様々な態様を実施するように、プロセッサ又はコントローラにロードされるように可搬型であってもよい。「プログラム」又は「コンピュータプログラム」との用語は、本明細書では、一般的な意味で、１つ以上のプロセッサ又はコントローラをプログラムするように使用できる任意のタイプのコンピュータコード（例えばソフトウエア又はマイクロコード）を指すように使用される。
【００２４】
［0024］  １つのネットワーク実施態様では、ネットワークに結合された１つ以上のデバイスが、（例えばマスタ／スレーブ関係において）当該ネットワークに結合された１つ以上の他のデバイスのコントローラとしての機能を果たす。別の実施態様では、ネットワークで結ばれた環境は、当該ネットワークに結合されたデバイスのうちの１つ以上を制御する１つ以上の専用コントローラを含む。通常、ネットワークに結合された複数のデバイスは、それぞれ、１つ以上の通信媒体上にあるデータへのアクセスを有するが、所与のデバイスは、例えば、当該デバイスに割り当てられた１つ以上の特定の識別子（例えば「アドレス」）に基づいて、ネットワークとデータを選択的に交換する（即ち、ネットワークからデータを受信する及び／又はネットワークにデータを送信する）点で、「アドレス可能」である。
【００２５】
［0025］  「ネットワーク」との用語は、本明細書において使用される場合、（コントローラ又はプロセッサを含む）任意の２つ以上のデバイス間及び／又はネットワークに結合された複数のデバイス間での（例えばデバイス制御、データ記憶、データ交換等のための）情報の転送を容易にする２つ以上のデバイスの任意の相互接続を指す。容易に理解されるように、複数のデバイスを相互接続するのに適したネットワークの様々な実施態様は、様々なネットワークトポロジのうちのどのネットワークを含んでよく、様々な通信プロトコルのうちのどの通信プロトコルを使用してよい。更に、本開示による様々なネットワークにおいて、２つのデバイス間の接続はいずれも、２つのシステム間の専用接続を表すか、又は、これに代えて非専用接続を表してもよい。２つのデバイス用の情報を担持することに加えて、当該非専用接続（例えばオープンネットワーク接続）は、必ずしも２つのデバイス用ではない情報を担持することがある。更に、容易に理解されるように、本明細書で説明されたデバイスの様々なネットワークは、ネットワーク全体に亘る情報の転送を容易にするために、１つ以上のワイヤレス、ワイヤ／ケーブル及び／又は光ファイバリンクのリンクを使用してもよい。
【００２６】
［0026］  「ＲＦＩＤ」との用語は、本明細書において使用される場合、無線周波数電磁界を使用することによって、デバイスがデータをワイヤレスで、かつ、物理的な接触なく転送するための一連の規格を指す。「ＮＦＣ」との用語は、本明細書において使用される場合、物理的な接触を介して、及び／又は、デバイスを、通常は、わずか数インチの距離に近づけることによって、互いと無線通信を確立するデバイスの一連の規格を指す。ＮＦＣ規格は、通信プロトコル及びデータ交換フォーマットを対象とし、既存のＲＦＩＤ規格に基づいている。
【００２７】
［0027］  「ワイヤレス送信器」との用語は、本明細書において使用される場合、アクティブであっても、パッシブであってもよい送信器を指す。ワイヤレス送信器は、例えばＮＦＣタグ、ＮＦＣコントローラ又はブルートゥース（登録商標）低エネルギー（「ＢＴ  ＬＥ」）ビーコンであってよい。アクティブワイヤレス送信器は、電池式送信器を指す。アクティブワイヤレス送信器は、例えば他のＮＦＣコントローラとピア・ツー・ピア通信に従事するＮＦＣコントローラであってよい。「パッシブワイヤレス送信器」との用語は、本明細書において使用される場合、ＮＦＣリーダ／ライタといったリーダ／ライタの存在下で起動される送信器を指す。リーダ／ライタは、パッシブワイヤレス送信器に信号を送り、パッシブワイヤレス送信器に含まれるデータを読み取る。一般に、パッシブワイヤレス送信器は、電源を含まない。更に、ＮＦＣタグといったパッシブワイヤレス送信器は、読取専用であっても、読取及び書き込み可能であってもよいことは、容易に理解されるであろう。一般的に言えば、ＮＦＣタグは、光設定（例えば色相、輝度、強度、減光等）、光効果（例えば光設定のシーケンス及び／又はパターン）、音効果、形状、テクスチャ等の１つ以上といった光挙動に関連する情報を含む。
【００２８】
［0028］  なお、前述の概念及び以下でより詳しく説明する追加の概念のあらゆる組み合わせ（これらの概念が互いに矛盾しないものであることを条件とする）は、本明細書で開示される本発明の主題の一部をなすものと考えられることを理解されるべきである。特に、本開示の終わりに登場する請求項に係る主題のあらゆる組み合わせは、本明細書に開示される本発明の主題の一部であると考えられる。当然ながら、参照により組み込まれる任意の開示内容にも登場する、本明細書にて明示的に使用される用語には、本明細書に開示される特定の概念と最も整合性のある意味が与えられるべきであることを理解されるべきである。
【図面の簡単な説明】
【００２９】
［0029］  図面中、同様の参照符号は、全般的に様々な図を通して同じ部分を指している。更に、図面は必ずしも縮尺通りではなく、重点は全体的に本発明の原理の説明に置かれている。
【００３０】
【図１】［0030］図１は、ワイヤレス送信器と通信する照明器具を示す。
【図２Ａ】［0031］図２Ａは、第１の場所にあるワイヤレス送信器に応えて第１の場所に固有の照明挙動を示す照明器具を示す。
【図２Ｂ】［0032］図２Ｂは、第２の場所にあるワイヤレス送信器に応えて第２の場所に固有の照明挙動を示す照明器具を示す。
【図３Ａ】［0033］図３Ａは、プレイマットの第１の部分に埋め込まれた第１のワイヤレス送信器に応えて第１の光挙動を示す照明器具を示す。
【図３Ｂ】［0034］図３Ｂは、プレイマットの第２の部分に埋め込まれた第２のワイヤレス送信器に応えて第２の光挙動を示す照明器具を示す。
【発明を実施するための形態】
【００３１】
［0035］  当技術分野において、ＮＦＣが可能にされた中間デバイスの助けなしに、光設定をＮＦＣコンポーネントから光源に直接取り込む、読み出す及び／又は転送する必要がある。より一般に、出願人は、照明器具のアクティブＮＦＣコントローラ又はパッシブＮＦＣタグといったＮＦＣコンポーネントに対する近接に基づいて、当該照明器具をワイヤレスに制御することが有益であることを認識かつ理解している。上記に鑑み、本発明の様々な実施形態及び実施態様は、ポータブル照明器具のワイヤレス制御に関する。
【００３２】
［0036］  図１を参照するに、一実施形態において、ワイヤレス送信器１７０と通信するポータブル照明器具１００（単に「照明器具１００」とも呼ぶ）が示される。照明器具１００は、内部１２０を画成するハウジング１１０を含む。幾つかの実施形態では、内部１２０は、１つ以上の光源１３０（本明細書では、単に「光源１３０」とも呼ぶ）と、光源１３０を制御するコントローラ１４０とを含む。例えば光源１３０は、ＬＥＤベースの光源（上で定義されたような１つ以上のＬＥＤを含む）であり、コントローラ１４０は、照明制御信号に基づいて、１つ以上のＬＥＤにエネルギーを付与する１つ以上のＬＥＤドライバ（図示せず）を含む。開示される実施形態の幾つかの態様は、「ＬＥＤ」との用語を参照して説明されるが、当然ながら、このような態様は、他のタイプの光源にも適用される。内部１２０は、ワイヤレス通信インターフェースを含んでもよい。図１では、ワイヤレス通信インターフェースは、ワイヤレスリーダ／ライタ１５０の形で示され、ワイヤレス送信器１７０からのワイヤレス信号１８０を起動及び／又は受信する。幾つかの実施形態では、照明器具１００は、ワイヤレス信号１８０を受信し、ワイヤレス信号１８０をリーダ／ライタ１５０に送信するアンテナ１６０を含む。
【００３３】
［0037］  コントローラ１４０は、光源１３０及びワイヤレスリーダ／ライタ１５０に動作可能に結合される。コントローラ１４０は、ワイヤレス信号１８０に基づいて、光源１３０によって放射される光の１つ以上の所望の特性を決定し、光の１つ以上の所望の特性に基づいて、照明制御信号を生成する。幾つかの実施態様では、ワイヤレス信号１８０は、１つ以上のＬＥＤによって放射される光の１つ以上の所望の特性のための命令を含む。ワイヤレスリーダ／ライタ１５０は、ワイヤレス信号１８０及び／又は命令を示すデータを、コントローラ１４０に通信する。コントローラ１４０は、ワイヤレス信号１８０及び／又は命令を示すデータに基づいて、光源１３０に関連付けられている１つ以上のＬＥＤによって放射される１つ以上の所望の特性を決定する。例えばコントローラ１４０は、本明細書において説明される様々な機能を実行するように、ソフトウェア（例えばマイクロコード）を使用してプログラムされる１つ以上のマイクロプロセッサを使用する。コントローラ１４０は、光の１つ以上の所望の特性のための命令を含む照明制御信号を生成する。照明制御信号に少なくとも部分的に基づいて、ＬＥＤドライバは、光源１３０内の１つ以上のＬＥＤにエネルギーを付与し、光の１つ以上の所望の特性に基づいて、光を放射させる。
【００３４】
［0038］  様々な実施態様において、ワイヤレス送信器１７０は、パッシブＮＦＣタグであっても、アクティブＮＦＣコントローラであってもよい。様々な実施態様において、ワイヤレスリーダ／ライタ１５０は、パッシブＮＦＣタグによって送信されるワイヤレス信号１８０を復号化するＮＦＣリーダ／ライタであっても、アクティブＮＦＣコントローラであってもよい。例えばパッシブＮＦＣタグ又はアクティブＮＦＣコントローラは、照明命令のセットをＮＦＣリーダ／ライタに送信する。ＮＦＣリーダ／ライタは、照明命令を復号化し、復号化された命令をコントローラ１４０に送信する。本明細書において説明される様々な例は、「ＮＦＣタグ」及び「パッシブＮＦＣタグ」を参照するが、ＮＦＣコントローラは、様々な場所に置かれても、及び／又は、おもちゃといった様々な物体に組み込まれてもよいことは理解されるべきである。
【００３５】
［0039］  １つ以上の光源の物理的コンポーネントと共に、照明器具は、１つ以上の光源を電源に接続する配線を含んでもよい。幾つかの照明器具は、光を方向付け、分配するのに役立つ光学リフレクタ又はコリメータといった光学要素を含む。幾つかの照明器具は、携帯可能である。例えば照明器具は、懐中電灯である。更に、例えば照明器具１００は、デバイス上に取り付けられても、及び／又は、デバイスを形成してもよい。例えば照明器具１００は、子供のおもちゃ（例えば人形又はアクションフィギュア）に取り付けられても、当該おもちゃとして形成されてもよい。
【００３６】
［0040］  光の特性は、所望の色、色温度、色相、輝度、点滅シーケンス、周期及び／又は非周期的シーケンスのうちの１つ以上を含む。光の１つ以上のこのような特性は、光の所望の特性を生成するように組み合わされてもよい。例えば光の所望の特性は、赤色光及び青色光の点滅を繰り返すシーケンスであってよい。別の例として、光の所望の特性は、様々な輝度設定（例えば減光、中間輝度、高輝度）であってよい。
【００３７】
［0041］  幾つかの実施態様では、照明器具１００は、照明シーンのライブラリを記憶するメモリ（図示せず）を更に含む。幾つかのタイプのメモリが、本明細書において説明される本発明の様々な態様を実施するように、記憶されている１つ以上のプログラムがコントローラにロード可能であるように、コントローラ１４０内に固定されていても、可搬であってもよい。各照明シーンは、１つ以上の光源１３０によって放射される光の１つ以上の特性を含む。コントローラ１４０は、ワイヤレス信号１８０に含まれる情報に基づいて、照明シーンのライブラリから、照明シーンを選択する。
【００３８】
［0042］  ライブラリから照明シーンを選択することに加えて又は代えて、幾つかの実施形態では、照明器具１００は、所定の照明制御言語を使用して、１つ以上のワイヤレス送信器１７０と通信する。当該照明制御言語は、照明器具１００に、様々な特性を有する光を放射するように１つ以上の光源１３０にエネルギーを付与させる確立されたコマンド及び／又はパラメータを含む。例えばコマンドのシーケンスは、「［ｒｅｄ：１００，ｇｒｅｅｎ：８０，ｂｌｕｅ：１００，ｂｒｉ：１８０］」を含む。照明器具１００は、このコマンドを、パッシブＮＦＣタグ又はアクティブＮＦＣコントローラから受信し、コマンドを適切に解釈する。これは、照明器具１００に、複数の照明シーンを予め記憶することよりもより柔軟性のあるアプローチを提供する。これは更に、照明器具１００が、ワイヤレス送信器１７０に関連付けられているワイヤレス受信器に、ワイヤレス送信器１７０に関連付けられている１つ以上の光源によって放射される光の１つ以上の特性を送信する実施形態を可能にする。したがって、近くのＮＦＣコントローラによって影響を受けて光を放射することに加えて、照明器具１００は、近くのＮＦＣコントローラに関連付けられている１つ以上の光源に、様々な選択された特性を有する光を放射させる。本明細書において説明される例は、ワイヤレス信号１８０に基づいて、ライブラリから照明シーンを選択する照明器具を主に参照するが、当然ながら、これらの同じ例（又は任意の他の例）において、照明器具１００は、代わりに、ワイヤレス信号１８０に含まれる照明制御コマンド及び／又はパラメータを解釈し、実行してもよい。
【００３９】
［0043］  図２Ａを参照するに、一実施形態において、本開示の選択された態様で構成され、第１の場所にあるワイヤレス送信器に応えて第１の照明挙動を示す照明器具２００が示される。照明器具２００は、図１の照明器具１００と同様であるので、図２Ａ及び図２Ｂの１つ以上の態様は、図１を参照して説明される。照明器具２００は、そのライブラリに、「夜間」、「読書」、「タイマ」及び「通路を見つける」といった１つ以上の所定の照明シーンを含む。ベッドサイドテーブル２２０の近くにある第１のパッシブＮＦＣタグ（図示せず）が、「夜間」設定用のワイヤレス信号１８０を送信する。照明器具２００が、ベッドサイドテーブル２２０の場所又はその付近にある場合、照明器具２００内のＮＦＣリーダ／ライタ１５０（図１を参照）が、当該ワイヤレス信号１８０（図１を参照）を受信する。ワイヤレス信号１８０に含まれるデータに基づいて、コントローラ１４０（図１を参照）は、ライブラリから、「夜間」照明シーンを選択する。コントローラ１４０は、「夜間」設定に対応する命令を生成する。このような命令は、例えば常夜灯に適した１つ以上の光設定を含む。したがって、１つ以上のＬＥＤドライバは、「夜間」設定に従って光を放射するように、光源１３０（図１を参照）の１つ以上のＬＥＤにエネルギーを付与する。
【００４０】
［0044］  拡大図２３０に、照明器具２００の２つの状態、即ち、ＬＥＤが中間輝度の光を伝送する「中間」輝度設定２００ｍｅｄｉｕｍと、ＬＥＤが低輝度の光を伝送する「低」輝度設定２００ｌｏｗとが示される。「低」といった低色温度は、例えば「より暖かい印象」のために赤色成分がより顕著である白色光を含む。幾つかの実施態様では、コントローラ１４０は、光源１３０に、部屋の天井に星を投影させる「夜間」照明シーンに対応する照明命令を生成してもよい。
【００４１】
［0045］  図２Ｂを参照するに、一実施形態において、ベッドからある距離に置かれた読書机２６０にあるワイヤレス送信器に応えて第２の照明挙動を示す照明器具２００が示される。本明細書において説明されたように、照明器具２００は、照明シーンのライブラリに、「夜間」、「読書」、「タイマ」及び「通路を見つける」といった１つ以上の設定を含む。読書机２６０の近くにある第２のパッシブＮＦＣタグ（図示せず）が、「読書」設定用のワイヤレス信号１８０（図１を参照）を送信する。照明器具２００が、読書机２６０の場所又はその付近に置かれる場合、照明器具２００内のＮＦＣリーダ／ライタ１５０（図１を参照）が、当該ワイヤレス信号１８０を受信し、復号化し、これに応えて、ライブラリから「読書」設定を取り込む。コントローラ１４０（図１を参照）は、「読書」設定に対応する命令を生成する。したがって、１つ以上のＬＥＤドライバは、「読書」設定に従って光を放射するように、光源１３０（図１を参照）の１つ以上のＬＥＤにエネルギーを付与する。例えばＬＥＤは、読書机２６０で本２５０を読むのに十分な光を放射する。例えば「より冷たい印象」のために、より高い色温度（例えば青色成分がより顕著である白色光）が生成される。強度は、周囲光にも依存してよい。例えば強度は、夜間若しくは日中であるか、及び／又は、室内の光量に依存する。
【００４２】
［0046］  別の例として、ＮＦＣタグ（又はＮＦＣコントローラ）が、部屋の一部分に置かれ、照明器具２００が近くにある場合に、部屋の当該部分が照明される。ＮＦＣタグは、ワイヤレス信号１８０を介して、「通路を見つける」設定に対応する照明シーンを送信する。照明器具が、ＮＦＣタグの場所又はその付近に置かれる場合、照明器具内のＮＦＣリーダ／ライタ１５０が、ワイヤレス信号１８０を受信し、復号化し、ライブラリから、「通路を見つける」設定が取り込まれる。コントローラ１４０は、「通路を見つける」設定に対応する命令を生成する。例えばコントローラ１４０は、照明器具がＮＦＣタグに近接する場合に、一定の光を放射するように、１つ以上のＬＥＤにエネルギーを付与する。これにより、人が、部屋の当該部分において、通る道を見つけることができる。
【００４３】
［0047］  一般的に言えば、ＮＦＣコンポーネントは、どの物体の場所又はその付近に設置されてもよい。例えばＮＦＣタグが、子供のおもちゃ又はその付近に置かれる。子供が照明器具をおもちゃの近くに置くと、照明器具は、ＮＦＣタグからのワイヤレス信号に応えて、１つ以上の光挙動を放射する。上記されたように、ＮＦＣコンポーネントは、１つ以上の照明シーン識別子、光設定／パラメータ／コマンド（例えば色相、輝度、強度、減光等）のうちの１つ以上、光効果（例えば光設定のシーケンス及び／又はパターン）、音効果、形状及びテクスチャといった光挙動に関する情報を含む。当該情報は、ワイヤレス信号（例えば１８０）として、照明器具に送信される。照明器具内のコントローラ１４０が、ワイヤレス信号から当該情報を復号化し、ＮＦＣタグからの信号に応えて、照明挙動を発生させる。幾つかの実施態様では、遊びの経験を増強するために、光効果タグが、おもちゃの中又はその上に置かれる。
【００４４】
［0048］  例えば点滅光をもたらす命令を有するＮＦＣコンポーネントが、消防はしご車上に置かれる。照明器具が消防はしご車上に置かれると、ＮＦＣコンポーネントからの信号によって、照明器具が１つ以上のＬＥＤにエネルギーを付与し、消防はしご車の点滅光及び／又はサイレンがシミュレートされる。幾つかの実施態様では、モバイルコンピュータデバイス及び／又はＮＦＣリーダ／ライタ若しくはコントローラを用いて、ＮＦＣコンポーネントをプログラムして及び／又はプログラムし直して、様々な照明挙動を符号化することができる。幾つかの実施形態では、照明器具のＮＦＣリーダ／ライタ又はコントローラは、様々な命令及び／又は照明挙動情報を含む信号を、おもちゃといった物体の場所又はその付近に置かれるリモートＮＦＣコントローラに提供する。リモートＮＦＣコントローラは、次に、当該物体に関連付けられている１つ以上の光源に、様々な選択された照明特性を有する光だけでなく、他のタイプの出力を放射させる。したがって、例えば子供が、照明器具に赤色光及び白色光を点滅させるように、当該照明器具をおもちゃの消防はしご車に置くと、照明器具は、同時に、おもちゃの消防はしご車がその光源にエネルギーを付与するか、又は、おもちゃの消防はしご車に関連付けられている１つ以上のスピーカからサイレンの音を出させるように、おもちゃの消防はしご車上のＮＦＣコントローラにワイヤレス信号を提供する。
【００４５】
［0049］  図３Ａを参照するに、壁に取り付けられたプレイマット３７３を有する子供の部屋３７１が示される。一実施形態において、第１の光挙動を示す照明器具３００が示される。これは、照明器具３００が、プレイマット３７３の第１の部分に埋め込まれる第１のＮＦＣタグ３７５Ａの形の第１のワイヤレス送信器の近くに、子供３７７の手に持たれることに応じたものである。拡大図３７９は、第１のＮＦＣタグ３７５Ａの近くのプレイマット３７３の一部を示す。幾つかの実施態様では、第１のＮＦＣタグ３７５Ａは、タッチセンサー式タグである。照明器具３００は、第１のＮＦＣタグ３７５Ａに応えて、第１のＮＦＣタグ３７５Ａの近くのプレイマット３７３の一部を照らす光を放射する。
【００４６】
［0050］  図３Ｂを参照するに、一実施形態において、第２の光挙動を示す照明器具３００が示される。これは、照明器具３００が、プレイマット３７３の第２の部分に埋め込まれる第２のＮＦＣタグ３７５Ｂの形の第２のワイヤレス送信器の近くに、子供３７７の手に持たれることに応じたものである。３９１に示されるように、様々な色（例えば赤色光及び青色光）のシーケンスといった様々な光挙動が生成される。「様々な色」との用語は、様々な波長成分及び／又は帯域幅を有する複数のスペクトルを暗に指している。当然ながら、「色」との用語は、白色及び非白色の光の両方に関連して使用される。
【００４７】
［0051］  プレイマット３７３の様々な部分に埋め込まれる１つ以上のＮＦＣタグに応えて、追加及び／又は代替の光挙動が生成される。例えば別の埋め込まれているＮＦＣタグに応えて、照明器具３００によって音効果が出力される。更に、例えば照明器具３００からの光は、プレイマット３７３の一部のテクスチャをシミュレートする。別の例として、照明器具３００からの光は、物体をシミュレートするために、プレイマット３７３の一部に陰影効果を与える。
【００４８】
［0052］  別の態様では、ゲームデバイス（例えばラップトップディスプレイ、テレビ受像機、モバイルデバイスディスプレイ）の近くに置かれるＮＦＣコンポーネントが、「タイマ」設定用のワイヤレス信号１８０に対応する時間依存照明シーンを送信してもよい。照明器具（例えば１００、２００、３００）が、ゲームデバイスの場所又はその付近に置かれると、照明器具内のＮＦＣリーダ／ライタ１５０が、ワイヤレス信号１８０を受信し、復号化し、ライブラリから「タイマ」設定が取り込まれる。コントローラ１４０は、「タイマ」設定に対応する命令を生成する。例えばコントローラ１４０は、所定の時間間隔（例えば１５分、３０分、１時間等）のタイマを起動し、当該時間間隔の終わりにおいて、１つ以上の光源１３０にエネルギーを付与することを開始する。別の例として、コントローラ１４０は、その間に選択的なエネルギー付与が生じる所定の時間間隔のタイマを起動し、当該時間間隔の終わりにおいて、選択的なエネルギー付与を止める。これらの変形態様の何れにおいても、ビデオゲームをしている子供に、ゲーム遊びに割当てられている時間が終了したことを知らせることができる。
【００４９】
［0053］  本明細書において、幾つかの発明実施形態を説明し例示したが、当業者であれば、本明細書にて説明した機能を実行するための、並びに／又は、本明細書にて説明した結果及び／若しくは１つ以上の利点を得るための様々な他の手段及び／若しくは構造体を容易に想到できよう。また、このような変更及び／又は改良の各々は、本明細書に説明される発明実施形態の範囲内であるとみなされる。より一般的には、当業者であれば、本明細書にて説明されるすべてのパラメータ、寸法、材料及び構成は例示を意図し、実際のパラメータ、寸法、材料及び／又は構成は、発明教示内容が用いられる１つ以上の特定用途に依存することを容易に理解できよう。当業者であれば、本明細書にて説明した特定の発明実施形態の多くの等価物を、単に所定の実験を用いて認識又は確認できよう。したがって、上記実施形態は、例として提示されたものに過ぎず、発明実施形態は、添付の特許請求の範囲及びその等価物の範囲内で、具体的に説明される又は請求項に係る態様以外に実施可能であることは理解されるべきである。本開示の発明実施形態は、本明細書において説明される個々の特徴、システム、商品、材料、キット及び／又は方法に関する。更に、２つ以上のこのような特徴、システム、商品、材料、キット及び／又は方法の任意の組み合わせも、当該特徴、システム、商品、材料、キット及び／又は方法が相互に矛盾していなければ、本開示の本発明の範囲内に含まれる。
【００５０】
［0054］  すべての定義は、本明細書において定義されかつ使用される場合、辞書の定義、参照することにより組み込まれた文献における定義及び／又は定義された用語の通常の意味に優先されて理解されるべきである。
【００５１】
［0055］  「ａ」及び「ａｎ」の不定冠詞は、本明細書及び特許請求の範囲において使用される場合、特に明記されない限り、「少なくとも１つ」を意味すると理解されるべきである。
【００５２】
［0056］  「及び／又は」との表現は、本明細書及び特許請求の範囲にて使用される場合、等位結合された要素の「いずれか又は両方」を意味すると理解されるべきである。即ち、要素は、接続的に存在する場合もあれば、離接的に存在する場合もある。「及び／又は」を用いて列挙される複数の要素も同様に解釈されるべきである。即ち、要素のうちの「１つ以上」が等位結合される。「及び／又は」節によって具体的に特定された要素以外の他の要素も、それが具体的に特定された要素に関連していてもいなくても、任意選択的に存在してよい。したがって、非限定的な例として、「Ａ及び／又はＢ」への参照は、「含む」といった非制限的言語と共に用いられた場合、一実施形態では、Ａのみ（任意選択的にＢ以外の要素を含む）を指し、別の実施形態では、Ｂのみ（任意選択的にＡ以外の要素を含む）を指し、更に別の実施形態では、Ａ及びＢの両方（任意選択的にその他の要素を含む）を指す。
【００５３】
［0057］  １つ以上の要素を含むリストを参照した際の「少なくとも１つ」との表現は、本明細書及び特許請求の範囲に用いられる場合、要素のリストにおける任意の１つ以上の要素から選択された少なくとも１つの要素を意味すると理解されるべきであるが、要素のリストに具体的に列挙された各要素の少なくとも１つを必ずしも含むわけではなく、要素のリストにおける要素の任意の組み合わせを排除するものではない。この定義は、「少なくとも１つの」との表現が指す要素のリストの中で具体的に特定された要素以外の要素が、それが具体的に特定された要素に関係していてもいなくても、任意選択的に存在してもよいことを可能にする。
【００５４】
［0058］  当然ながら、特に明記されない限り、本明細書に記載された２つ以上のステップ又は動作を含むどの方法においても、当該方法のステップ又は動作の順番は、記載された方法のステップ又は動作の順序に必ずしも限定されない。
【００５５】
［0059］  請求項において、括弧の間に登場する参照符号は、ある場合は、便宜上、提供されたものに過ぎず、請求項をいかようにも限定するものとして解釈されるべきではない。
【００５６】
［0060］  特許請求の範囲だけでなく、上記明細書においても、「備える」、「含む」、「担持する」、「有する」、「含有する」、「関与する」、「保持する」、「〜から構成される」等といったあらゆる移行句は、非制限的、即ち、含むがそれに限定されないことを意味すると理解されるべきである。米国特許庁特許審査手続便覧の第２１１１．０３項に記載される通り、「〜からなる」及び「本質的に〜からなる」といった移行句のみが、制限又は半制限移行句である。
【図１】
2017508263.tif 000003
【図２Ａ】
2017508263.tif 000004
【図２Ｂ】
2017508263.tif 000005
【図３Ａ】
2017508263.tif 000006
【図３Ｂ】
2017508263.tif 000007
【国際調査報告】
2017508263.tif 000008
2017508263.tif 000009